(57)【特許請求の範囲】
【請求項１】
原稿を白黒多値で読み取るスキャナ部と、読み取った画像データを一時的に保存するメモリと、２値画像を出力する出力部とを備えた画像処理装置において、
上記スキャナ部の次段に接続されて、白黒多値画像にガンマ補正を行い、文字モードのときにはガンマ補正なしのリニアな直線を、写真モードのときには全白および全黒濃度領域を確保して中間濃度部が対数曲線を、文字または写真モードのときには全白および全黒濃度領域を確保して中間濃度部が直線の各ガンマカーブを備えたガンマ補正手段と、
該ガンマ補正手段により補正された多値画像を入力し、原稿の文字部と絵柄部とを判別する像領分離手段と、
該ガンマ補正手段により補正された多値画像を入力し、多値画像を文字原稿に適した２値の文字処理画像に変換する文字処理手段と、
該ガンマ補正手段により補正された多値画像を入力し、多値画像を絵柄原稿に適した２値の絵柄処理画像に変換する絵柄処理手段と、
上記像領分離手段で文字部と判別された場合は文字処理画像を選択し、絵柄部と判別された場合は絵柄処理画像を選択して、画像合成を行う合成手段とを備え、
上記絵柄処理手段は、文字または写真モードの場合には、濃度補正演算を組み込んだ絵柄演算を行い、また写真モードの場合には、濃度補正演算が無しの絵柄処理を行うことを特徴とする画像処理装置。
【請求項２】
請求項１に記載の画像処理装置において、
前記絵柄処理手段は、絵柄処理を誤差拡散法で行い、濃度補正演算は入力データに対して予め定められた式を用いて補正演算を行ってガンマを変更することを特徴とする画像処理装置。
【請求項３】
請求項１に記載の画像処理装置において、
前記絵柄処理手段は、絵柄処理をディザ法で行い、濃度補正演算は閾値に対して予め用意された閾値マトリクスを用いて補正演算を行ってガンマを変更することを特徴とする画像処理装置。
【請求項４】
請求項１に記載の画像処理装置において、
前記絵柄処理手段は、絵柄処理をディザ法で行い、標準的な閾値のマトリクスと予め補正された閾値のマトリクスとを備え、
写真モードの場合には、上記標準的な閾値のマトリクスを選択し、文字または写真モードの場合には、上記補正された閾値のマトリクスを選択することを特徴とする画像処理装置。
【発明の詳細な説明】
【０００１】
【発明の属する技術分野】
本発明は、文字モード、写真モード、および文字／写真モードに適したガンマ補正を行うことができる画像処理装置に関するものである。
【０００２】
【従来の技術】
イメージセンサの特性は、光の反射率に基づいてリニアな階調を持っている。このように画像の階調度は反射率に基づいているが、濃度と反射率の関係は対数（ｌｏｇ）の特性になっているため、反射率が５０％のときでも人間の目には濃度が５０％には見えずに、ｌｏｇ５０（％）に見えることになる。従って、写真モードの場合には、人間の目に正しく見えるように階調変換を行う必要がある。被写体各部の輝度と再現された画像上で対応する部分の輝度を両対数軸上に表した入出力特性を、階調特性と呼んでいる。そして、画像の階調特性の各部における接線の勾配をγ（ガンマ）と呼んでいる。再生画像のコントラストが実際の被写体のコントラストに比較して低いにもかかわらず、それほど不快感がないのは、最適階調再現が原景の相対明度を再現しているからである。テレビ等では、受像管の発光輝度が直線的に変化するように、送信側でガンマ補正を行って送出している。
従来の画像処理装置には、例えば、特開平２−２６８０７４号公報に記載されているように、オペレータの選択によって写真（ハーフトーン）モードと、文字／写真（オート）モードとを選択できるようになっているものがある。上記公報の装置では、文字／写真モードを選択したときには、像域分離処理を備えずに誤差拡散法で２値化することを前提としたデータ変換（ガンマ補正）を行っている。この場合、文字／写真モードでは、所定値以上の濃度データを全白の濃度データに変換することにより、文字と写真が混在する画像に対しても、解像度および階調性の優れた画像を再現できるようにしている。
【０００３】
【発明が解決しようとする課題】
従来の画像処理では、文字モード（文字原稿に最も適した処理を行う）と写真モード（グラビアや写真原稿に最も適した処理を行う）があり、さらにその中間的なモードとして文字／写真モードがある。そして、文字／写真モードでは、文字と写真とが混在した画像に対して、文字と写真をそれぞれ像域分離して処理せずに、画像全面に対して同じように誤差拡散法により２値化していた。
誤差拡散法は、ハーフトーンのアルゴリズムの１つであるが、文字像域と写真像域とを分離せずに処理すると、文字または写真のいずれか一方は必ず適切な処理が行われなくなるため、画質は低下することになる。
そこで、本発明の第１の目的は、このような従来の課題を解決し、文字モード、写真モード、および文字／写真モードのいずれにも適したガンマ補正を行い、分離性質と絵柄部の画質を両立させることが可能な画像処理装置を提供することにある。
また、本発明の第２の目的は、絵柄部の処理に誤差拡散法を用いる装置において、濃度補正により画質を向上させることが可能な画像処理装置を提供することにある。
さらに、本発明の第３の目的は、絵柄部の処理にディザ法を用いる装置において、濃度補正により画質を向上させることが可能な画像処理装置を提供することにある。
【０００４】
【課題を解決するための手段】
本発明の画像処理装置は、(1)原稿を白黒多値で読み取るスキャナ部と、読み取った画像データを一時的に保存するメモリと、２値画像を出力する出力部とを備えた画像処理装置において、上記スキャナ部の次段に接続されて、白黒多値画像にガンマ補正を行い、文字モードのときにはガンマ補正なしのリニアな直線を、写真モードのときには全白および全黒濃度領域を確保して中間濃度部が対数曲線を、文字または写真モードのときには全白および全黒濃度領域を確保して中間濃度部が直線の各ガンマカーブを備えたガンマ補正手段と、該ガンマ補正手段により補正された多値画像を入力し、原稿の文字部と絵柄部とを判別する像領分離手段と、該ガンマ補正手段により補正された多値画像を入力し、多値画像を文字原稿に適した２値の文字処理画像に変換する文字処理手段と、該ガンマ補正手段により補正された多値画像を入力し、多値画像を絵柄原稿に適した２値の絵柄処理画像に変換する絵柄処理手段と、上記像領分離手段で文字部と判別された場合は文字処理画像を選択し、絵柄部と判別された場合は絵柄処理画像を選択して、画像合成を行う合成手段とを備え、上記絵柄処理手段は、文字または写真モードの場合には、濃度補正演算を組み込んだ絵柄演算を行い、また写真モードの場合には、濃度補正演算が無しの絵柄処理を行うことを特徴としている。
(2)また、前記絵柄処理手段は、絵柄処理を誤差拡散法で行い、濃度補正演算は入力データに対して予め定められた式を用いて補正演算を行うことも特徴としている。
(3)また、前記絵柄処理手段は、絵柄処理をディザ法で行い、濃度補正演算は閾値に対して予め用意された閾値マトリクスを用いて補正演算を行うことも特徴としている。
(4)また、前記絵柄処理手段は、絵柄処理をディザ法で行い、標準的な閾値のマトリクスと予め補正された閾値のマトリクスとを備え、写真モードの場合には、上記標準的な閾値のマトリクスを選択し、文字または写真モードの場合には、上記補正された閾値のマトリクスを選択することも特徴としている。
【０００５】
【発明の実施の形態】
本発明の一実施例においては、読み取る原稿に応じて、写真モード、文字モード、文字／写真モードを任意設定する切り換えスイッチを備えて、写真モードが選択された場合には絵柄処理画像を出力し、文字／写真モードが選択された場合には絵柄処理画像と文字処理画像の合成画像を出力し、文字モードが選択された場合には文字処理画像を出力する。
これにより、文字モード、写真モードおよび文字／写真モードのいずれにも適したガンマ補正を行うことができ、特に文字／写真モードに像域分離処理を備えた装置で、分離性能と絵柄部の画質とを両立させることができる。
絵柄部の処理に誤差拡散法を用いる場合には、濃度補正による画質向上を図り、ディザ法を用いる場合にも、濃度補正による画質の向上を図ることができる。
【０００６】
【実施例】
以下、本発明の実施例を、図面により詳細に説明する。
図１は、本発明の一実施例を示す画像処理装置のシステム構成図である。
図１において、スキャナ部１はイメージセンサおよびＡ／Ｄ変換装置を備え、原稿を多値画像に読取る装置であり、メモリ２は画像データを一時的に保持する装置であり、ガンマ補正部３は多値画像にガンマ補正を行う装置であり、像域分離部４は原稿の文字部と絵柄部とを判別する装置であり、文字処理部５は文字原稿に適した２値化処理を行う装置である。また、絵柄処理部６は絵柄原稿に適した２値化処理を行う装置であり、合成部７は像域分離部４の判別結果が文字部の場合には文字処理画像を選択し、絵柄部の場合には絵柄処理画像を選択して合成画像を作成する装置であり、通信部８は２値画像を送受信するＧ３ファクシミリ等の通信装置であり、プリンタ９は２値画像を出力するプリンタ装置であり、制御部１０は本システム全体の制御を行う装置である。
本実施例では、文字／写真モードに像域分離処理を備えることにより、分離性能と絵柄部の画質を両立させている。そのために、新たに像域分離部４と文字処理部５と絵柄処理部６と合成部７とを設けている。
【０００７】
図２は、図１におけるハードウェア構成を起動順に結合した機能ブロック例の図である。
図２におけるモード選択１１は、オペレーションパネル（図示省略）に配置された選択スイッチの操作により、文字、写真、文字／写真の各モードが任意に選択される。選択された各モードは、ガンマ補正部３および合成部７に出力されて、ガンマ補正処理および合成処理の際のモード指定に用いられる。スキャナ部１で読み取った多値画像は、ガンマ補正部３で、モード選択１１で選択された各モードに適したガンマ補正が行われる。ガンマ補正部３で補正された出力は、それぞれ像域分離部４と文字処理部５と絵柄処理部６に送出される。像域分離部４では、原稿の文字部と絵柄部とを判別して、その判別結果を合成部７に送出する。また、文字処理部５では、スレッシュ処理等で２値化して文字処理画像を作成し、合成部７に送出する。スレッシュ処理では、多値のデータ（例えば８ビット）の場合、０〜２５５の階調を持っているが、文字原稿は白と黒しかないので、中央の１２８以上は黒、１２８未満は白というように閾値を設けて２値化する。
また、絵柄処理部６では、誤差拡散法やディザ法で２値化して絵柄画像を作成し、合成部７に送出する。合成部７では、モード選択１１からの指示出力により、文字モードならば文字処理部５からの出力である文字処理画像を常に選択して出力し、写真モードならば絵柄処理部６からの出力である絵柄処理画像を常に選択して出力し、さらに文字／写真モードならば、像域分離部４からの像域分離結果が文字部の場合には文字処理画像を選択し、像域分離結果が絵柄部の場合には絵柄処理画像を選択して、合成画像を生成した後、これを出力する。像域分離部４は、１画素単位で絵柄部または文字部に分離する。各モードに応じた画像が、出力１２から通信部８またはプリンタ９に出力される。
これにより、文字／写真モードでは、像域分離処理を行うことにより分離性能と絵柄部の画質の両立を図ることができる。
【０００８】
図３、図４および図５は、図２におけるガンマ補正の第１の実施例を示す入出力特性図である。
図２の機能ブロックにおけるガンマ補正部３では、文字モードのときには図３に示すようなリニアに変化する直線のガンマ補正を行い、写真モードのときには図４に示すような絵柄処理に適した全白および全黒濃度領域を確保して中間濃度部が対数曲線であるガンマ補正を行い、文字／写真モードのときには図５に示すような全白および全黒濃度領域を確保して中間濃度部が直線であるようなガンマ補正を行う。
全白と全黒の濃度領域を確保する理由は、最初から対数あるいは直線で変換すると、スキャナからのノイズが多少乗って黒が白っぽくなるので、ノイズを抑えてきれてな黒にするために全黒および全白領域を確保する。また、図５の文字／写真モードのときには、文字が劣化しないように中間を直線にしているが、これは写真モードに最適ではないが文字を優先して処理を行うためである。
これにより、文字のエッジを検出する像域分離処理の分離性能と、絵柄部の画質を両立させることができる。
【０００９】
図６は、図２におけるガンマ補正の第２の実施例を示す入出力特性図である。
図２の機能ブロックにおけるガンマ補正部３では、文字モードのときには図３に示すような直線のガンマ補正を行い、写真モードのときには図４に示すような絵柄処理に適した全白および全黒濃度領域を確保して中間濃度部が対数曲線であるガンマ補正を行い、文字／写真モードのときには図５に示すような全白および全黒濃度領域を確保して中間濃度部が直線であるガンマ補正を行う。ここまでの処理は、第１の実施例と同じである。
第２の実施例が第１の実施例と異なる点は、文字／写真モードのとき、絵柄処理部６において、絵柄処理を行う際に図６に示すような濃度補正演算を行うことである。つまり、第２の実施例の特徴は、絵柄処理部６の処理にある。図６の細線は入力特性であり、太線は出力特性である。例えば、絵柄処理部６に図５に示すガンマの多値画像データが入力したときには、図６のガンマとなる絵柄処理画像を出力する。図６のガンマは、太線のような折線の特性曲線である。絵柄処理部６で、ハーフトーンの処理を行う場合には、ガンマ補正を含むような処理を行って濃度を少しでも薄くするような処理をする。
すなわち、第１の実施例では、中間濃度部のガンマが直線となっているため、絵柄部の画質がやや暗目となっている。そこで、第２の実施例では、図６のように、絵柄処理部６で絵柄処理と同時に簡易な濃度補正を行うことにより、絵柄部の画質を第１の実施例よりも向上する（請求項１参照）。
【００１０】
図７は、本発明の第３の実施例を示す濃度補正演算の説明図である。
第３の実施例では、第２の実施例の絵柄処理を誤差拡散法で行い、入力濃度に対して濃度補正演算を行う。図７は、誤差拡散法のＦｌｐｙｄ  ａｎｄ  Ｓｔｅｉｎｂｅｒｇの拡散フィルタである。図７の＊が注目画素であり、注目画素に対して誤差拡散法の演算を行って、剰余が出たときに配分比率が３：５：１：７に振り分けることを意味している。例えば、画素座標（ｉ，ｊ）の６４階調の入力濃度をｘ（０＝白、６３＝黒）、変数をａ、拡散フィルタをμｋｌ、誤差をｅ、閾値をＴ、出力をｙとすると、次の式で表される。
【数１】
0003590943.tif 000002
なお、上式（１）は入力濃度ｘｉｊに簡易な濃度補正演算でｘｉｊ’を求める。すなわち、注目画素の階調度６３を２で除算した値から濃度を薄める処理を行う（請求項２参照）。
また、上記（２）はｘｉｊ”で誤差拡散演算を行っている。すなわち、Σμが配分する値を全部加算したもの（具体的には１６）であり、次の項での演算の余りを３／１６，５／１６，１／１６，７／１６の配分比率で受取るための式である。変数ａ＝２とすると、図５のガンマが図６に変換される。つまり、ａ＝２のとき図６の出力（太線）のようになるので、ａ＝３以上にすれば、されに出力（太線）が下方に大きく曲げられることになる。なお、ｅ（誤差）は、黒に満たないものから６３を差し引いた値、および白の値自体の値となる。
このように、第２の実施例の装置において絵柄処理が誤差拡散法の場合、第３の実施例のように、図７に示す配分比率で入力濃度に補正演算を行ってガンマを変更し、絵柄部の画質を向上することができる（請求項２参照）。
【００１１】
図８は、本発明の第４の実施例を示す多値画像を２値化するためのマトリクスの図である。
第４の実施例では、図５の第２の実施例において絵柄処理がディザ法で行われ、閾値に対して濃度補正演算を行う。ディザ法では、図８に示すようなマトリクスの閾値データで多値画像を２値化する。例えば、６４階調の入力濃度をｘ（０＝白、６３＝黒）、マトリクスからの閾値をＴｍｎ、変数をａ、出力をｙとすると、次の式で表される。
【数２】
0003590943.tif 000003
第３の実施例の誤差拡散法では入力データ側から直接演算されているため、式（１）のようにｘｉｊからの減算であったが、第４の実施例のディザ法では閾値側からの演算であるため、式（３）のようにｘｉｊに対して逆に加算される。そして、Ｔｍｎが大きくなればなるほど白になる確率が高くなるため、薄くなることになる。例えば、図８はドット集中型にしているので、マトリクスの中心が黒になり易い特徴を有している。
なお、上式（３）は、閾値Ｔｍｎに簡易な濃度補正演算でＴｍｎ’を求めるものである。また、上式（４）は、Ｔｍｎ’でディザ演算を行っている。変数ａ＝２とすると、図５のガンマが図６に変換される。この場合にも、ａ＝２のとき図６の出力（太線）のようになるので、ａ＝３以上にすれば、さらに出力（太線）が下方に大きく曲げられることになる。なお、ｅ（誤差）は、黒白ともにｘｉｊ”自体の値となる。
このように、第４の実施例では、第２の実施例（図６）の装置において絵柄処理がディザ法の場合には、閾値データに補正演算を行ってガンマを変更するので、絵柄部の画質を向上することができる（請求項３参照）。
【００１２】
図９は、本発明の第５の実施例を示す多値画像を２値化するための閾値マトリクスの図である。
図６に示す第２の実施例の絵柄処理がディザ法で行われ、閾値用のマトリクスデータを複数備えて、モードに応じて選択する。例えば、絵柄処理部６が、図８と図９の２つのマトリクスデータを具備している場合、写真モードならば図８を選択し、文字／写真モードならば図９を選択する。図９は、図８の閾値データが上式（２）（ａ＝２）で予め補正されたもので、図５のガンマが図６のガンマとなる。図９のマトリクスは、閾値を予め式（３）の演算を行って作成されたものである。すなわち、第５の実施例では、絵柄処理部６に式（３）を実行する演算部を持っていないが、既に演算の結果を持ったマトリクス（図９）を具備している。文字／写真モードの場合には、第４の実施例の場合の演算の結果と同じ結果となる。
これにより、第５の実施例では、第２の実施例で絵柄処理がディザ法の場合には、予め補正した閾値のマトリクスデータを用いてガンマを変更するので、絵柄部の画質を向上することができる（請求項４参照）。
【００１３】
図１０は、本発明の第６の実施例を示す機能ブロック図である。
スキャナ部１で読み取った多値画像は、ガンマ補正なしのリニアなままで、像域分離部４、文字処理部５、絵柄処理部１３で処理される。絵柄処理部１３に含まれるガンマ補正部１４は、絵柄処理を行う際に濃度補正演算を行う装置である。すなわち、ガンマ補正部１４は、モードによらず、常に全白および全黒濃度領域を確保して中間濃度部が対数曲線であるガンマカーブを具備している。
合成部７、モード選択部１１、出力部１２は、図２のブロック図と同じである。
図２および図６に示す第２の実施例では、簡易な濃度補正を行っているため、絵柄処理部６で最適なガンマに変換することができなかった。また、カラーやグレーの低コントラスト文字のエッジは低濃度となるため、絵柄画像のために確保した全白領域内となってしまうことがあり、この低コントラスト文字の分離性能が悪くなる。
第６の実施例では、像域用離部４ではガンマ補正なしのリニアなデータで像域分離を行っているため、低コントラスト文字でも分離性能は向上し、また絵柄処理部１３では絵柄部に最適なガンマ補正を行っているため、絵柄部の画質も向上する。また、各モードに応じてガンマカーブを選択する必要がなく、１つのガンマカーブを備えればよいので、コストアップにならない利点がある。
【００１４】
次に、本発明の第７の実施例について説明する。
前記の第６の実施例（図１０）の絵柄処理が誤差拡散法で行われ、入力濃度に対してガンマ補正演算を行う。例えば、画素座標（ｉ，ｊ）の６４階調の入力濃度をｘ（０＝白、６３＝黒）、オフセットをＦ、拡散フィルタをμＫ１、誤差をｅ、閾値をＴ、出力をｙとすると、次式のように表される。
【数３】
0003590943.tif 000004
上式（５）では、入力濃度ｘｉｊに近似演算でガンマ補正されたｘｉｊ”’を求めている。
上式（６）では、ｘｉｊ”’で誤差拡散演算を行っている。すなわち、前述の図６に示す第２の実施例の場合には、単なる濃度減算を行っているが、本実施例では近似演算で対数演算を行っており、ｘｉｊ’が２より小さいときには、図４の急駿な立上りを８・ｘｉｊで近似させ、４より小さいときには、やや急駿の４・ｘｉｊ＋６で近似させ、８より小さいときには、緩やかな傾斜を２・ｘｉｊ＋１３で近似させている。
式（５）では、オフセットＦ＝５とすると、ほぼ図４のガンマ補正が行われる。
このように、第７の実施例では、第６の実施例の装置（図１０）において、絵柄処理が誤差拡散法の場合には、入力濃度に近似演算によるガンマ補正を行い、絵柄部の画質を向上している。
【００１５】
次に、本発明の第８の実施例について説明する。
第８の実施例では、第６の実施例（図１０）の絵柄処理がディザ法で行われ、閾値に対してガンマ補正演算を行っている。例えば、画素座標（ｉ，ｊ）の６４階調の入力濃度をｘ（０＝白、６３＝黒）、マトリクスからの閾値をＴｍｎ、変数をａ、出力をｙとすると、次の式で表される。
【数４】
0003590943.tif 000005
なお、上式（７）では、閾値Ｔｍｎに近似演算によるガンマ補正でＴｍｎ”を求めている。また、上式（８）では、Ｔｍｎ”でディザ演算を行っている。式（７）では、オフセットＦ＝４とすると、ほぼ図４のガンマ補正が行われる。図１０では、ガンマ補正部１４において、式（７）（８）のガンマ補正演算を行う。
このように、第８の実施例においては、第６の実施例（図６）の装置で、絵柄処理がディザ法の場合には、閾値データに近似演算によるガンマ補正を行っているので、絵柄部の画質を向上することができる。
【００１６】
図１１は、本発明の第９の実施例を示す多値画像を２値化するための閾値マトリクスの図である。
第９の実施例では、第６の実施例（図１０）の絵柄処理がディザ法で行われ、予めガンマ補正された閾値用のマトリクスデータを備えている。例えば、図１１のマトリクスデータは、ガンマ補正無しのリニアな入力データに、図４のガンマ補正を行ってディザ画像を出力する。つまり、絵柄処理部１３の内部でガンマ補正をマトリクスにより行い、ガンマ補正部１４では何も行わない。このマトリクスによる補正の結果は、式（７）（８）による補正結果と同じである。
これにより、第９の実施例では、第６の実施例（図１０）において、絵柄処理がディザ法の場合に、予めガンマ補正した閾値のマトリクスデータを用いるので、絵柄部の画質を向上することができる。
【００１７】
【発明の効果】
以上説明したように、本発明によれば、文字のエッジを検出する像域分離処理の分離性能と、絵柄部の画質を両立させることができる。また、絵柄処理が誤差拡散法の場合には入力濃度に補正演算を行い、ディザ法の場合には閾値のマトリクスデータを用いて、それぞれガンマを変更することにより、絵柄部の画質を向上することができる。また、近似演算によるガンマ補正を行って、絵柄部の画質を向上できる。さらに、像域分離処理をガンマ補正なしのリニアなデータで行うことにより、低コントラスト文字でも分離性能を向上させ、各モードに応じてガンマカーブを選択する必要がなく、１つのガンマカーブのみを備えるだけでよいので、コストアップを抑止できる。
【図面の簡単な説明】
【図１】本発明の一実施例を示す画像処理装置のブロック図である。
【図２】図１における機能ブロック図である。
【図３】本発明の第１の実施例を示す文字モードに対するガンマ補正部の入力／出力特性図である。
【図４】同じく、第１の実施例を示す写真モードに対するガンマ補正部の絵柄処理の入力／出力特性図である。
【図５】同じく、第１の実施例を示す文字／写真モードに対するガンマ補正部の絵柄処理の入力／出力特性図である。
【図６】本発明の第２の実施例を示す絵柄処理部における入力／出力特性図である。
【図７】本発明の第３の実施例を示す誤差拡散法の拡散フィルタの図である。
【図８】本発明の第４の実施例を示す多値画像を２値化するマトリクスの閾値データの図である。
【図９】本発明の第５の実施例を示す多値画像を２値化するマトリクスの閾値データの図である。
【図１０】本発明の第６の実施例を示す画像処理装置の機能ブロック図である。
【図１１】本発明の第９の実施例を示す絵柄処理部の多値画像を２値化するマトリクスの閾値データの図である。
【符号の説明】
１…スキャナ部、２…メモリ、３…ガンマ補正部、４…像域分離部、
５…文字処理部、６…絵柄処理部、７…合成部、８…通信部、９…プリンタ、
１０…制御部、１１…モード選択、１２…出力部、１３…絵柄処理部、
１４…ガンマ補正部。
【図１】
0003590943.tif 000006
【図２】
0003590943.tif 000007
【図３】
0003590943.tif 000008
【図４】
0003590943.tif 000009
【図５】
0003590943.tif 000010
【図６】
0003590943.tif 000011
【図７】
0003590943.tif 000012
【図８】
0003590943.tif 000013
【図９】
0003590943.tif 000014
【図１０】
0003590943.tif 000015
【図１１】
0003590943.tif 000016